【手続補正書】
【提出日】平成18年3月23日(2006.3.23)
【手続補正１】
【補正対象書類名】特許請求の範囲
【補正対象項目名】全文
【補正方法】変更
【補正の内容】
【特許請求の範囲】
【請求項１】
（ａ）  一般式
ＡａＭｂ（ＸＹ４）ｃＺｄ
の活物質を含む第１の電極；
（ここで、
（ｉ）  ＡはＬｉ、Ｎａ、Ｋおよびそれらの組み合せよりなる群から選択され、０＜ａ≦９であり；
（ｉｉ）  Ｍは高原子価状態に酸化することが可能な少なくとも１つの金属を含む、１以上の金属を含み、１≦ｂ≦３であり；
（ｉｉｉ）  ＸＹ４は、Ｘ’Ｏ４−ｘＹ’ｘ、Ｘ’Ｏ４−ｙＹ’２ｙ、Ｘ”Ｓ４およびそれらの組み合せからなる群より選択され、ここでＸ’はＰ，Ａｓ，Ｓｂ，Ｓｉ，Ｇｅ，Ｖ，Ｓおよびそれらの組み合せよりなる群から選択され、Ｘ”はＰ，Ａｓ，Ｓｂ，Ｓｉ，Ｇｅ，Ｖおよびそれらの組み合せよりなる群から選択され、Ｙ’はハロゲン、Ｓ，Ｎおよびそれらの組み合せよりなる群から選択され、
０≦ｘ＜３、０＜ｙ≦２および０＜ｃ≦３であり；
（ｉｖ）  ＺはＯＨ、ハロゲンあるいはそれらの組み合せであり、０≦ｄ≦６であり、
Ｍ，ＸＹ４，Ｚ，ａ，ｂ，ｃ，ｄ，ｘおよびｙは前記活物質の電気的中性を保持するように選択される）
（ｂ）  前記第１の電極の対向電極である第２の電極；
（ｃ）  電解質；
を含むリチウムバッテリー。
【請求項２】
前記電解質は環状エステルおよび炭酸アルキル、炭酸アルキレンおよびそれらの組み合せからなる群より選択された炭酸塩との混合物を含む請求項1によるバッテリー。
【請求項３】
前記炭酸塩は５から８原子の環サイズを有する炭酸アルキレンであり、前記炭酸アルキレンの炭素原子が置換されていないか1以上の炭素原子がＣ１−Ｃ６アルキルで置換されている請求項２記載のバッテリー。
【請求項４】
前記炭酸アルキレンは炭酸エチレン、１，３−炭酸プロピレン、１，４−炭酸ブチレン、１，５−炭酸ペンチレン、１，２−炭酸プロピレン、２，３−炭酸ブチレン、１，２−炭酸ブチレンおよびそれらの組み合せよりなる群から選択される請求項２または３記載のバッテリー。
【請求項５】
前記炭酸アルキレンは炭酸エチレンである請求項4記載のバッテリー。
【請求項６】
前記炭酸塩はＣ１−Ｃ６炭酸アルキルであり、前記炭酸アルキルの炭素原子が置換されていないか１以上の炭素原子がＣ１−Ｃ４アルキルで置換されている請求項２記載のバッテリー。
【請求項７】
前記炭酸アルキルは、炭酸ジエチル、炭酸エチルメチル、炭酸ジメチルおよびそれらの組み合せからなる群より選択される請求項６記載のバッテリー。
【請求項８】
前記環状エステルは４から７原子の環サイズを有し、前記環状エステルの炭素原子が置換されていないか低級アルキル基で置換されている請求項２から７記載のいずれかのバッテリー。
【請求項９】
前記環状エステルは、置換または非置換プロピオラクトン、置換または非置換ブチロラクトン、置換または非置換バレロラクトン、置換または非置換カプロラクトンおよびそれらの組み合せからなる群より選択された請求項８記載のバッテリー。
【請求項１０】
前記環状エステルはブチロラクトンである請求項９記載のバッテリー。
【請求項１１】
前記環状エステルは前記電解質の少なくとも６０重量％である請求項２から１０記載のいずれかのバッテリー。
【請求項１２】
前記電解質はＬｉＡｓＦ６、ＬｉＰＦ６、ＬｉＣｌＯ４、ＬｉＢ（Ｃ６Ｈ5）４、ＬｉＡｌＣｌ４、ＬｉＢｒ、ＬｉＢＦ４、ＬｉＳＯ３ＣＦ３、ＬｉＮ（ＳＯ２ＣＦ３）２、ＬｉＮ（ＳＯ２Ｃ２Ｆ5）２およびその組み合わせから選択されたリチウム塩を含む請求項１から１１記載のいずれかのバッテリー。
【請求項１３】
前記塩はＬｉＢＦ４である請求項１２記載のバッテリー。
【請求項１４】
前記電解質は、更にジグライム、トリグライム、テトラグライム、ジメチルスルホキシド、ジオキソラン、スルホランおよびそれらの組み合わせからなる群より選択された溶媒を含む請求項1から１３記載のいずれかのバッテリー。
【請求項１５】
前記第2の電極は、金属酸化物、金属カルコゲナイド、炭素、グラファイトおよびそれらの組み合わせからなる群より選択されたインターカレーション物質を含む請求項１から１４記載のいずれかのバッテリー。
【請求項１６】
前記活物質は、一般式
ＬｉａＭｂ（ＰＯ４）ｃＺｄ，
（ここで、
（ｉ）０．１＜ａ≦４；
（ｉｉ）Ｍは高い酸化状態に酸化可能の少なくとも１つの金属を含む１以上の金属で、１≦ｂ≦３であり；
（ｉｉｉ）Ｚはハロゲンであり、０．１＜ｄ≦４であり、
Ｍ、Ｚ、ａ、ｂおよびｄは、前記活物質の電気的中性を維持できるように選択される）で示される請求項１から１５記載のいずれかのバッテリー。
【請求項１７】
０．２≦ａ≦１である請求項１６記載のバッテリー。
【請求項１８】
前記ＭはＭ’１−ｍＭ”ｍであり、ここでＭ’は周期律表の４から１１族の少なくとも１つの元素、Ｍ”は、周期律表の２、３および１２から１６族の少なくとも１つの元素、０＜ｍ＜１である請求項１６または１７記載のバッテリー。
【請求項１９】
前記Ｍ’はＦｅ、Ｃｏ、Ｎｉ、Ｍｎ、Ｃｕ、Ｖ、Ｚｒ、Ｔｉ、Ｃｒおよびそれらの組み合せからなる群より選択され、Ｍ”はＭｇ、Ｃａ、Ｚｎ、Ｓｒ、Ｐｂ、Ｃｄ、Ｓｎ、Ｂａ、Ｂｅ、Ａｌおよびそれらの組み合せを含む群より選択される請求項１８記載のバッテリー。
【請求項２０】
前記Ｍ’はＦｅ、Ｃｏ、Ｍｎ、Ｃｕ、Ｖ、Ｃｒおよびそれらの組み合せからなる群より選択され、Ｍ”はＭｇ、Ｃａ、Ｚｎ、Ｂａ、Ａｌおよびそれらの組み合せからなる群より選択される請求項１９記載のバッテリー。
【請求項２１】
前記活物質は、一般式
ＡａＭ１ｅＭ２ｆＭ３ｇＸＹ４
（ここで、 
（ａ）０＜ａ≦２；
（ｂ）Ｍ１は１以上の遷移金属を含み、ｅ＞０；
（ｃ）Ｍ２は１以上の＋２の酸化状態非遷移金属を含み、ｆ＞０；
（ｄ）Ｍ３は１以上の＋３の酸化状態非遷移金属を含み、ｇ＞０；
（ｅ）０＜ｅ＋ｆ＋ｇ＜２；であり、
Ｍ１、Ｍ２、Ｍ３、ＸＹ４、ａ、ｅ、ｆ、ｇ、ｘおよびｙは前記活物質の電気的中性を維持するために選択される）で示される請求項１から１５記載のいずれかのバッテリー。
【請求項２２】
前記Ｍ１は周期律表の４から１１族の少なくとも１つの遷移金属であり、Ｍ２は周期律表の２、３および１２から１６族の少なくとも１つの非遷移金属であり、Ｍ３は、１３族から選択された＋３の酸化状態の金属である請求項２１記載のバッテリー。
【請求項２３】
前記Ｍ１はＦｅ、Ｃｏ、Ｎｉ、Ｍｎ、Ｃｕ、Ｖ、Ｚｒ、Ｔｉ、Ｃｒおよびそれらの組み合せからなる群より選択される請求項２１記載のバッテリー。
【請求項２４】
前記Ｍ１はＦｅ、Ｃｏ、Ｍｎ、Ｃｕ、Ｖ、Ｃｒおよびそれらの組み合せからなる群より選択された＋２の酸化状態の遷移金属である請求項２３記載のバッテリー。
【請求項２５】
前記Ｍ２は、Ｂｅ、Ｍｇ、Ｃａ、Ｓｒ、Ｂａ、Ｒａ、Ｚｎ、Ｃｄ、Ｈｇおよびそれらの組み合せからなる群より選択される請求項２１から２４記載のいずれかのバッテリー。
【請求項２６】
前記Ｍ３はＳｃ、Ｙ、Ｌａ、Ａｃ、Ｂ、Ａｌ、Ｇａ、Ｉｎ、Ｔｌおよびそれらの組み合せから選択される請求項２１から２５記載のいずれかのバッテリー。
【請求項２７】
前記ＡはＬｉである請求項２１から２６記載のいずれかのバッテリー。
【請求項２８】
前記ＸＹ４は、ＰＯ４である請求項２１から２７記載のいずれかのバッテリー。
【請求項２９】
０．８≦ｅ＋ｆ＋ｇ≦１．５である請求項２１から２８記載のいずれかのバッテリー。
【請求項３０】
前記活物質は、一般式、
ＬｉＭ（ＰＯ４−ｘＹ’ｘ）
（ここで、ＭはＭ１ｇＭ２ｈＭ３ｉＭ４ｊで、
（ｉ）Ｍ１は１以上の遷移金属；
（ｉｉ）Ｍ２は１以上の＋２の酸化状態の非遷移金属；
（ｉｉｉ）Ｍ３は１以上の＋３の酸化状態の非遷移金属；
（ｉｖ）Ｍ４は１以上の＋１の酸化状態の非遷移金属；
（ｖ）Ｙ’はハロゲン；
であり、ｇ＞０、ｈ、ｉ、ｊのそれぞれは≧０；０＜（ｇ＋ｈ＋ｉ＋ｊ）≦１；０≦ｘ≦０．５で、Ｍ１、Ｍ２、Ｍ３、Ｍ４、Ｙ’、ｇ、ｈ、ｉ、ｊおよびｘは前記活物質の電気的中性を維持するために選択される）で示される請求項１から１５記載のいずれかのバッテリー。
【請求項３１】
前記Ｍ１はＶ、Ｃｒ、Ｍｎ、Ｆｅ、Ｃｏ、Ｎｉおよびそれらの組み合せからなる群より選択された＋２の酸化状態の遷移金属である請求項３０記載のバッテリー。
【請求項３２】
前記Ｍ１はＦｅ、Ｃｏおよびそれらの組み合せからなる群より選択される請求項３０記載のバッテリー。
【請求項３３】
前記Ｍ２は、Ｂｅ、Ｍｇ、Ｃａ、Ｓｒ、Ｂａおよびそれらの組み合せからなる群より選択される請求項３０から３２記載のいずれかのバッテリー。
【請求項３４】
前記Ｍ３はＡｌである請求項３０から３３記載のいずれかのバッテリー。
【請求項３５】
前記Ｍ４はＬｉ、ＮａおよびＫからなる群より選択される請求項３０から３４記載のいずれかのバッテリー。
【請求項３６】
０．０１≦ｈ≦０．２である請求項３０から３５記載のいずれかのバッテリー。
【請求項３７】
０．０１≦ｉ≦０．２である請求項３０から３６記載のいずれかのバッテリー。
【請求項３８】
ｊ＝０である請求項３０から３７記載のいずれかのバッテリー。
【請求項３９】
０．０１≦ｊ≦O．１である請求項３０から３７記載のいずれかのバッテリー。
【請求項４０】
ｘ＝０である請求項３０から３９記載のいずれかのバッテリー。
【請求項４１】
０．０１≦ｘ≦０．０５および（ｇ＋ｈ＋ｉ＋ｊ）＜１である請求項３０から３９記載のいずれかのバッテリー。
【請求項４２】
前記活物質は、一般式
ＬｉａＣｏｅＦｅｆＭ１ｇＭ２ｈＭ３ｉＸＹ４
（ここで、
（ｉ）０＜ａ≦２、ｅ＞０およびｆ＞０；
（ｉｉ）Ｍ１は１以上の遷移金属であり、ｇ≧０；
（ｉｉｉ）Ｍ２は１以上の＋２の酸化状態の非遷移金属であり、ｈ≧０；
（ｉｖ）Ｍ３は１以上の＋３の酸化状態の非遷移金属であり、ｉ≧０；
ここで０＜（ｅ＋ｆ＋ｇ＋ｈ＋ｉ）≦２；であり、Ｍ１、Ｍ２、Ｍ３、ＸＹ４、ａ、ｅ、ｆ、ｇ、ｈ、ｉ、ｘおよびｙは前記化合物の電気的中性を維持するために選択される）を含む請求項１から１５記載のいずれかのバッテリー。
【請求項４３】
前記Ｍ１はＴｉ、Ｖ、Ｃｒ、Ｍｎ、Ｎｉ、Ｃｕおよびそれらの組み合せからなる群より選択される請求項４２記載のバッテリー。
【請求項４４】
前記Ｍ２は、Ｂｅ、Ｍｇ、Ｃａ、Ｓｒ、Ｂａおよびそれらの組み合せからなる群より選択される請求項４２または４３記載のバッテリー。
【請求項４５】
前記Ｍ３は、Ｂ、Ａｌ、Ｇａ、Ｉｎおよびそれらの組み合せからなる群より選択される請求項４２から４４記載のいずれかのバッテリー。
【請求項４６】
０．０１≦ｇ≦０．５である請求項４２から４５記載のいずれかのバッテリー。
【請求項４７】
０．０１≦ｈ≦０．２である請求項４２から４６記載のいずれかのバッテリー。
【請求項４８】
０．０１≦ｉ≦０．２である請求項４２から４７記載のいずれかのバッテリー。
【請求項４９】
前記ＸＹ４はＰＯ４である請求項４２から４８記載のいずれかのバッテリー。
【請求項５０】
前記ＸＹ４はＰＯ４−ｘＦｘであり、０＜ｘ≦１である請求項４２から４８記載のいずれかのバッテリー。
【請求項５１】
前記ＭはＴｉ、Ｖ、Ｃｒ、Ｍｎ、Ｆｅ、Ｃｏ、Ｎｉ、Ｃｕおよびそれらの組み合せからなる群より選択される請求項１から１５記載のいずれかのバッテリー。
【請求項５２】
前記ＭはＶである請求項５１記載のバッテリー。
【請求項５３】
前記ＭはＭ’１−ｍＭ”ｍであり、ここでＭ’は周期律表の４から１１族の少なくとも１つの元素、Ｍ”は、周期律表の２、３および１２から１６族の少なくとも１つの元素であり、０＜ｍ＜１である請求項１から１５記載のいずれかのバッテリー。
【請求項５４】
前記Ｍ’はＦｅ、Ｃｏ、Ｎｉ、Ｍｎ、Ｃｕ、Ｖ、Ｚｒ、Ｔｉ、Ｃｒおよびそれらの組み合せからなる群より選択される請求項５３記載のバッテリー。
【請求項５５】
前記Ｍ”はＭｇ、Ｃａ、Ｚｎ、Ｓｒ、Ｐｂ、Ｃｄ、Ｓｎ、Ｂａ、Ｂｅ、Ａｌおよびそれらの組み合せを含む群より選択される請求項５３または５４記載のバッテリー。
【請求項５６】
前記Ｘ’はＳｉあるいはＳｉとＰの組み合せであり、Ｘ”はＳｉあるいはＳｉとＰの組み合せである請求項５１から５５記載のいずれかのバッテリー。
【請求項５７】
前記ＸＹ４は、Ｘ’Ｏ４−ｘＹ’ｘ、Ｘ’Ｏ４−ｙＹ’２ｙ、Ｘ”Ｓ４およびそれらの組み合せからなる群より選択され、Ｘ’はＰおよびＸ”はＰ、さらに０＜ｘ＜３、０＜ｙ＜４である請求項５１から５５記載のいずれかのバッテリー。
【請求項５８】
前記ＸＹ４はＰＯ４−ｘＦｘであり、０＜ｘ≦１である請求項５１から５５記載のいずれかのバッテリー。
【請求項５９】
前記ＺはＦを含み、０．１＜ｄ≦４である請求項５１から５８記載のいずれかのバッテリー。
【請求項６０】
ｃ＝１である請求項５１から５５記載のいずれかのバッテリー。
【請求項６１】
ｃ＝３である請求項５１から５５記載のいずれかのバッテリー。
【請求項６２】
第２の電極は化合物ＬｉｘＣを形成可能な炭素を含む請求項１から１４，２１から２６，２８から２９及び５１から６１記載のいずれかのバッテリー。
【請求項６３】
ＡはＮａである請求項１から１４，２１から２６，２８から２９及び５１から６２記載のいずれかのバッテリー。
【請求項６４】
電解質は溶媒とリチウム塩からなる請求項１から１４，２１から２６，２８から２９及び５１から６３記載のいずれかのバッテリー。